(57)【要約】【課題】  再生チャンネルの放送波の受信環境に応じて、適切なサーチ処理を行う。【解決手段】  再生チャンネルの放送波のＳＮＲに基づいて、ＳＮＲが所定値未満であるかの第１判定が行われ（Ｓ１２）、第１判定結果が肯定的であった場合に、ＳＮＲの低下率が演算される（Ｓ１３）。引き続き、低下率が所定閾値以下であるかの第２判定が行われ（Ｓ１４）、第２判定結果が肯定的であった場合は、現在利用している中継局から車両が遠ざかったと判断され、サーチ処理を実行する（Ｓ１５）。一方、第２判定の結果が否定的であった場合は、所定時間以内にＳＮＲが所定値以上に回復するかの第３判定が行われる（Ｓ１８，Ｓ１９）。そして、判定の結果が否定的であった場合は、長いトンネル等の遮蔽物区間を通過した際には、以前に受信していた中継局のエリアから外れていると判定し、サーチ処理を実行する（Ｓ１５）。【選択図】  図７
2009225144.tif 000002
【特許請求の範囲】
【請求項１】
車両に搭載され、放送波を受信する受信装置であって、
再生指定されている放送チャンネルである再生チャンネルの放送波の受信品質を検出する検出手段と；
前記再生チャンネルに代えて再生指定するための代替チャンネルのサーチ処理を行うサーチ処理手段と；
前記検出手段による検出値及び前記検出値の単位時間当たりの低下率に基づいて、前記サーチ処理を開始させるか否か制御する制御手段と；
を備えることを特徴とする受信装置。
【請求項２】
前記制御手段は、前記検出手段による検出値が所定値未満となったか否かの第１判定を行うとともに、前記第１判定の結果が肯定的であった場合に、前記検出値が前記所定値未満となる直前又は直後の前記低下率が所定閾値以下であったか否かの第２判定を行い、前記第２判定の結果が肯定的であった場合に、前記サーチ処理を開始させる、ことを特徴とする請求項１に記載の受信装置。
【請求項３】
前記制御手段は、前記第２判定の結果が否定的であった場合に、所定時間以内に前記検出値が前記所定値以上に回復するか否かの第３判定を行い、前記第３判定の結果が否定的であった場合に、前記サーチ処理を開始させる、ことを特徴とする請求項２に記載の受信装置。
【請求項４】
車両に搭載され、放送波を受信する受信装置で使用される受信制御方法であって、
再生指定されている放送チャンネルである再生チャンネルの放送波の受信品質を検出する検出工程と；
前記検出手段による検出値及び前記検出値の単位時間当たりの低下率に基づいて、サーチ処理を開始させるか否か制御する制御工程と；
前記制御工程における制御に従って、前記再生チャンネルに代えて再生指定するための代替チャンネルのサーチ処理を行うサーチ処理工程と；
を備えることを特徴とする受信制御方法。
【請求項５】
請求項４に記載の受信制御方法を演算手段に実行させる、ことを特徴とする受信制御プログラム。
【請求項６】
請求項５に記載の受信制御プログラムが、演算手段により読み取り可能に記録されている、ことを特徴とする記録媒体。
【発明の詳細な説明】
【技術分野】
【０００１】
本発明は、受信装置、受信制御方法、受信制御プログラム、及び、当該受信制御プログラムが記録された記録媒体に関する。
【背景技術】
【０００２】
従来から、車両等の移動体の多くに地上デジタル放送を受信して再生する受信装置が搭載されている。こうした受信装置による放送受信の環境は、移動体の移動に伴って変化する。これは、地上デジタル放送では、地域ごとに配置される中継局としてＭＦＮ（Multi Frequency Network）方式が採用されており、物理チャンネル（以下、単に「チャンネル」と呼ぶ）の配置が地域ごとに異なっているためである。このため、放送地域をまたがって移動体が移動する場合に、同一の放送内容の良好な視聴を継続するためには、再生用に選局するチャンネルを適宜に切り換えることが必要となる。
【０００３】
かかるチャンネルの切り換えに関する技術として、選択するチャンネルを自動的に切り換える技術が提案されている（特許文献１参照：以下、「従来例」と呼ぶ）。この従来例の技術では、アンテナと選局手段との組を２組用意し、一方の組を用いて視聴を行いつつ、再生チャンネルの放送波の受信品質を検出する。かかる一方の組の動作と並行して、他方の組を用いて、視聴中の再生チャンネルとは異なる切換候補のチャンネルの放送波の受信品質を検出する。そして、再生チャンネル及び切換候補のチャンネルの放送波の受信品質に基づいて、最も受信品質が高いチャンネルを新たに選局すべきチャンネルに決定するようになっている。
【０００４】
【特許文献１】特開２００４−３２０４０６号公報
【発明の開示】
【発明が解決しようとする課題】
【０００５】
上述した従来例の技術では、再生チャンネルの受信品質が低下した時点において、再生チャンネル及び切換候補のチャンネルのうちで最も受信品質の高いチャンネルを、新たに選局すべきチャンネルに決定する。しかしながら、車両が走行する道路にはトンネルや建築物等の放送波の遮蔽物が存在する。かかる遮蔽物に起因する受信品質の低下は、瞬時的である場合もある。こうした場合には、再生チャンネルの放送波を発信している中継局から遠ざかっている可能性が高いとは言えないため、従来例の技術のように必ずサーチ処理を行うのではなく、サーチ処理を行わないことが適切である。
【０００６】
このため、トンネルや建築物等の遮蔽物に起因する放送波の受信品質の低下を判別し、適切にサーチ処理を行うことで、利用者に対して快適な視聴を確保することのできる技術が待望されている。かかる要請に応えることが、本発明が解決すべき課題の一つとして挙げられる。
【０００７】
本発明は、上記の事情を鑑みてなされたものであり、再生チャンネルの放送波の受信環境に応じて、適切なサーチ処理を行うことができる受信装置及び受信制御方法を提供することを目的とする。
【課題を解決するための手段】
【０００８】
請求項１に記載の発明は、車両に搭載され、放送波を受信する受信装置であって、再生指定されている放送チャンネルである再生チャンネルの放送波の受信品質を検出する検出手段と；前記再生チャンネルに代えて再生指定するための代替チャンネルのサーチ処理を行うサーチ処理手段と；前記検出手段による検出値及び前記検出値の単位時間当たりの低下率に基づいて、前記サーチ処理を開始させるか否か制御する制御手段と；を備えることを特徴とする受信装置である。
【０００９】
請求項４に記載の発明は、車両に搭載され、放送波を受信する受信装置で使用される受信制御方法であって、再生指定されている放送チャンネルである再生チャンネルの放送波の受信品質を検出する検出工程と；前記検出手段による検出値及び前記検出値の単位時間当たりの低下率に基づいて、サーチ処理を開始させるか否か制御する制御工程と；前記制御工程における制御に従って、前記再生チャンネルに代えて再生指定するための代替チャンネルのサーチ処理を行うサーチ処理工程と；を備えることを特徴とする受信制御方法である。
【００１０】
請求項５に記載の発明は、請求項４に記載の受信制御方法を演算手段に実行させる、ことを特徴とする受信制御プログラムである。
【００１１】
請求項６に記載の発明は、請求項５に記載の受信制御プログラムが、演算手段により読み取り可能に記録されている、ことを特徴とする記録媒体である。
【発明を実施するための最良の形態】
【００１２】
以下、本発明の一実施形態を、図１〜図７を参照して説明する。なお、本実施形態においては、車両に搭載され、ＭＰＥＧ方式によるコード化が行われた後に、ＯＦＤＭ（Orthogonal Frequency Division Multiplex）変調が施された地上デジタル放送波を受信して処理する受信装置を例示して説明する。また、以下の説明及び図面においては、同一又は同等の要素には同一の符号を付し、重複する説明を省略する。
【００１３】
［構成］
図１には、一実施形態に係る受信装置１００の概略的な構成がブロック図にて示されている。この図１に示されるように、受信装置１００は、２個のアンテナ１１０1,１１０2と、２個のＲＦ処理ユニット１２０1,１２０2と、再生処理ユニット１３０とを備えている。また、受信装置１００は、操作入力ユニット１４０と、音出力ユニット１５０と、表示ユニット１６０とを備えている。さらに、受信装置１００は、制御ユニット１８０を備えている。
【００１４】
アンテナ１１０1，１１０2は、放送波を受信する。そして、アンテナ１１０1による受信結果は、受信信号ＲＦＳ1として、ＲＦ処理ユニット１２０1へ送られる。また、アンテナ１１０2による受信結果は、受信信号ＲＦＳ2として、ＲＦ処理ユニット１２０2へ送られる。
【００１５】
上記のＲＦ処理ユニット１２０1は、制御ユニット１８０からの選局指令ＣＳＬ1及び再生処理ユニット１３０からの自動利得制御信号ＡＧＣ1に従って、選択すべきチャンネルの信号を受信信号ＲＦＳ1から抽出する選局処理を行う。この選局処理の結果は、信号ＩＦＳ1として再生処理ユニット１３０へ送られる。
【００１６】
上記のＲＦ処理ユニット１２０2は、制御ユニット１８０からの選局指令ＣＳＬ2及び再生処理ユニット１３０からの自動利得制御信号ＡＧＣ2に従って、選択すべきチャンネルの信号を受信信号ＲＦＳ2から抽出する選局処理を行う。この選局処理の結果は、信号ＩＦＳ2として再生処理ユニット１３０へ送られる。
【００１７】
ＲＦ処理ユニット１２０j（ｊ＝１，２）は、図２に示されるように、入力フィルタ２１１と、高周波増幅器（ＲＦ−ＡＭＰ：Radio Frequency-Amplifier）２１２と、バンドパスフィルタ（以下、「ＲＦフィルタ」とも呼ぶ）２１３とを備えている。また、ＲＦ処理ユニット１２０jのそれぞれは、ミキサ（混合器）２１４と、中間周波フィルタ（以下、「ＩＦフィルタ」とも呼ぶ）２１５と、中間周波増幅器（ＩＦ−ＡＭＰ：Intermediate Frequency-Amplifier）２１６とを備えている。さらに、ＲＦ処理ユニット１２０jのそれぞれは、局部発振回路（ＯＳＣ）２１７を備えている。
【００１８】
上記の入力フィルタ２１１は、対応するアンテナ１１０jからの受信信号ＲＦＳjの低周波成分を遮断するハイパスフィルタである。上記の高周波増幅器２１２は、入力フィルタ２１１を通過した信号を増幅する。
【００１９】
上記のＲＦフィルタ２１３は、高周波増幅器２１２から出力された信号のうち、特定の周波数範囲の信号を選択的に通過させる。上記のミキサ２１４は、ＲＦフィルタ２１３を通過した信号と、局部発振回路２１７から供給された局部発振信号ＣＦjとを混合する。上記のＩＦフィルタ２１５は、ミキサ２１４から出力された信号のうち、予め定められた中間周波数範囲の信号を選択して通過させる。
【００２０】
上記の中間周波増幅器２１６は、ＩＦフィルタ２１５を通過した信号を増幅する。ここで、中間周波増幅器２１６の増幅率は、再生処理ユニット１３０からの自動利得制御信号ＡＧＣjによって制御されるようになっている。このため、中間周波増幅器２１６による増幅結果は、再生処理ユニット１３０における処理に際して、適切なレベルとなる。この中間周波増幅器２１６による増幅結果は、信号ＩＦＳjとして、再生処理ユニット１３０へ向けて出力される。
【００２１】
上記の局部発振回路２１７は、電圧制御等により発振周波数の制御が可能な発振器等を備えて構成される。この局部発振回路２１７は、制御ユニット１８０から供給された選局指令ＣＳＬjに従って、ＲＦ処理ユニット１２０jにおいて選局すべきチャンネルに対応する周波数の局部発振信号ＣＦjを生成し、ミキサ２１４に供給する。
【００２２】
図１に戻り、上記の再生処理ユニット１３０は、制御ユニット１８０による制御のもとで、ＲＦ処理ユニット１２０1，１２０2からの信号ＩＦＳ1，ＩＦＳ2を処理して、音出力ユニット１５０へ供給するための音声データＡＤＴ及び表示ユニット１６０へ供給するための画像データＩＤＴを生成する。この再生処理ユニット１３０は、図３に示されるように、ＯＦＤＭ復調部１３１と、デコード部１３２とを備えている。また、再生処理ユニット１３０は、音声処理部１３３と、映像処理部１３４とを備えている。
【００２３】
上記のＯＦＤＭ復調部１３１は、ＲＦ処理ユニット１２０j（ｊ＝１，２）における利得の自動制御を行うとともに、ＲＦ処理ユニット１２０jからの信号ＩＦＳ1，ＩＦＳ2に基づいて、ＯＦＤＭ復調処理を行う。このＯＦＤＭ復調部１３１は、図４に示されるように、ＡＧＣ制御部２２１と、信号合成部２２２と、復調部２２３とを備えている。また、さらに、ＯＦＤＭ復調部１３１は、検出手段としてのＳＮＲ検出部２２５Mと、ＳＮＲ検出部２２５Sとを備えている。
【００２４】
上記のＡＧＣ制御部２２１は、ＲＦ処理ユニット１２０1，１２０2からの信号ＩＦＳ1，ＩＦＳ2を受ける。そして、ＡＧＣ制御部２２１は、信号ＩＦＳj（ｊ＝１，２）のそれぞれの信号レベルを検出し、各信号レベルを所定レベルとするための自動利得制御信号ＡＧＣjを生成する。こうして生成された自動利得制御信号ＡＧＣjは、選局中のチャンネルの信号のアンテナ１１０jにおける受信レベルを反映したものとなっている。生成された自動利得制御信号ＡＧＣjは、ＲＦ処理ユニット１２０jへ送られる。
【００２５】
上記の信号合成部２２２は、ＲＦ処理ユニット１２０1，１２０2からの信号ＩＦＳ1，ＩＦＳ2を受ける。そして、制御ユニット１８０による制御のもとで、信号合成処理を行う。
【００２６】
この信号合成部２２２は、制御ユニット１８０からの合成制御指令ＳＮＣにより合成すべきことが指定された場合には、信号ＩＦＳ1，ＩＦＳ2の２つの信号の合成を行い、信号ＳＮＤとして復調部２２３及びＳＮＲ検出部２２５Mへ送る。一方、信号合成部２２２は、制御ユニット１８０からの合成制御指令ＳＮＣにより合成すべきではないことが指定された場合には、信号合成を行わず、信号ＩＦＳ1を信号ＳＮＤとして、復調部２２３及びＳＮＲ検出部２２５Mへ送る。
【００２７】
上記の復調部２２３は、信号合成部２２２からの信号ＳＮＤを受ける。そして、復調部２２３は、信号ＳＮＤに対してＯＦＤＭ復調を施す。このＯＦＤＭ復調結果における音声及び映像に関する部分は、コンテンツ復調信号ＤＭＤとして、デコード部１３２へ向けて出力される。一方、ＯＦＤＭ復調結果における音声及び映像に関するデータ放送部分は、信号ＤＢＤとして制御ユニット１８０へ向けて出力される。かかる信号ＤＢＤに含まれる情報としては、中継局情報（以下、「ＮＩＴ情報」とも呼ぶ）等がある。
【００２８】
上記のＳＮＲ検出部２２５Mは、信号合成部２２２からの信号ＳＮＤを受ける。そして、ＳＮＲ検出部２２５Mは、信号ＳＮＤにおけるＳＮＲ（Signal to Noise Ratio）を検出する。この検出結果の値ＳＮＲMは、制御ユニット１８０に報告される。
【００２９】
上記のＳＮＲ検出部２２５Sは、ＲＦ処理ユニット１２０2からの信号ＩＦＳ2を受ける。そして、ＳＮＲ検出部２２５Sは、信号ＩＦＳ2におけるＳＮＲを検出する。この検出結果の値ＳＮＲSは、制御ユニット１８０に報告される。
【００３０】
図３に戻り、デコード部１３２は、ＯＦＤＭ復調部１３１からのコンテンツ復調信号ＤＭＤを受ける。そして、デコード部１３２は、コンテンツ復調信号ＤＭＤのデコードを行い、音声に関するデコード結果を、復調音声データＤＡＤとして、音声処理部１３３へ送る。また、デコード部１３２は、映像に関するデコード結果を、復調映像データＤＩＤとして、映像処理部１３４へ送る。
【００３１】
音声処理部１３３は、復調音声データＤＡＤに基づいて音声データＡＤＴを生成する。生成された音声データＡＤＴは、音出力ユニット１５０へ送られる。
【００３２】
映像処理部１３４は、復調映像データＤＩＤに基づいて画像データＩＤＴを生成する。生成された画像データＩＤＴは、表示ユニット１６０へ送られる。
【００３３】
図１に戻り、上記の操作入力ユニット１４０は、受信装置１００の本体部に設けられたキー部、及び／又はキー部を備えるリモート入力装置等により構成される。ここで、本体部に設けられたキー部としては、表示ユニット１６０に設けられたタッチパネルを用いることができる。また、キー部を有する構成に代えて、又は併用して音声認識技術を利用して音声にて入力する構成を採用することもできる。
【００３４】
この操作入力ユニット１４０を利用者が操作することにより、受信装置１００の動作内容の設定が行われる。例えば、選局指定等の利用者による入力が、操作入力ユニット１４０を利用して行われる。こうした入力内容は、操作入力データＩＰＤとして、操作入力ユニット１４０から制御ユニット１８０へ向けて送られる。
【００３５】
上記の音出力ユニット１５０は、（ｉ）再生処理ユニット１３０から受信した音声データＡＤＴをアナログ信号に変換するＤＡ（Digital to Analogue）変換器と、（ii）当該ＤＡ変換器から出力されたアナログ信号を増幅する増幅器と、（iii）増幅されたアナログ信号を音声に変換するスピーカとを備えて構成されている。この音出力ユニット１５０は、選局されている再生チャンネルの放送波に対応する放送音声を再生出力する。
【００３６】
上記の表示ユニット１６０は、例えば、（ｉ）液晶パネル、有機ＥＬ（Electro Luminescence）パネル、ＰＤＰ（Plasma Display Panel）等の表示デバイスと、（ii）再生処理ユニット１３０から受信した画像データＩＤＴに従って、当該表示デバイスに画像を表示させる表示制御回路とを備えている。この表示ユニット１６０は、選局されている再生チャンネルに対応する放送画像を再生表示する。
【００３７】
上記の制御ユニット１８０は、受信装置１００の全体の動作を制御する。この制御ユニット１８０は、図５に示されるように、ＮＩＴ情報記憶部１８１と、制御手段としての処理管理部１８２と、サーチ処理手段としての最適局サーチ部１８３とを備えている。
【００３８】
上記のＮＩＴ情報記憶部１８１には、図６に示されるように、中継局ごとの周波数情報である中継局＃１の周波数情報ＮＴＦ1、中継局＃２の周波数情報ＮＴＦ2、…、中継局＃Ｐの周波数情報ＮＴＦPが記憶されている。かかる情報は、ＯＦＤＭ復調部１３１からの信号ＤＢＤに基づいて、処理管理部１８２において作成されたものである。
【００３９】
図５に戻り、上記の処理管理部１８２は、タイマ、値ＳＮＲMの一時記録を行うバッファメモリ等を備えて構成されている。この処理管理部１８２は、操作入力ユニット１４０に入力された選局指定が操作入力データＩＰＤとして通知されると、当該選局指定に従って再生チャンネルの選局指令ＣＳＬ1，ＣＳＬ2を生成して、それぞれ、ＲＦユニット１２０1，１２０2へ向けて出力する。
【００４０】
また、処理管理部１８２は、ＳＮＲ検出部２２５Mによる信号ＳＮＤにおけるＳＮＲの検出結果である値ＳＮＲMを受けて、当該値ＳＮＲMをバッファメモリに記録する。ここで、値ＳＮＲMのバッファメモリへの記録は、値ＳＮＲMを取得するごとに更新され、直近のＮ個の値ＳＮＲMのみが記録されている。
【００４１】
引き続き、処理管理部１８２は、値ＳＮＲMが所定値ＳＬＶ未満となるか否かの第１判定を行う。処理管理部１８２は、この第１判定により、値ＳＮＲMが所定値ＳＬＶ未満になると、バッファメモリに記録されているＳＮＲの検出結果を参照して、所定時間Δｔ当たりのレベル低下の変化率（以下、「低下率」とも呼ぶ）ＤＲMを演算する。そして、処理管理部１８２は、低下率ＤＲMが所定閾値ＴＨ以下となるか否かの第２判定を行う。なお、この低下率ＤＲMは、値ＳＮＲMが所定値ＳＬＶ未満となる直前又は直後の低下率を採用するものとする。
【００４２】
この第２判定では、値ＳＮＲMの低下が、現在受信している放送波を発信している中継局から車両が遠ざかったためによるものなのか、あるいは、車両が放送波を遮断するトンネル等を走行しているためによるものかを判定する。すなわち、第２判定により、低下率ＤＲMが所定閾値ＴＨ以下であった場合は、値ＳＮＲMが徐々に低下していることから、値ＳＮＲMの低下が、現在受信している放送波を発信している中継局から車両が遠ざかったためによるものと判断する。一方、低下率ＤＲMが所定閾値ＴＨより大きい場合は、値ＳＮＲMが急激に低下していることから、値ＳＮＲMの低下が、車両が放送波を遮断するトンネル等を走行しているためによるものと判断する。
【００４３】
なお、所定値ＳＬＶは利用者に対して快適な視聴を確保するという観点から、実験、シミュレーション、経験等に基づいて、予め定められる。また、所定時間Δｔ及び所定閾値ＴＨは上記の第２判定を精度良く行うという観点から、実験、シミュレーション、経験等に基づいて、予め定められる。
【００４４】
引き続き、処理管理部１８２は、上記の第２判定により、低下率ＤＲMが所定閾値ＴＨ以下である場合には、最適局サーチ指令ＳＲＳを生成し、当該指令を最適局サーチ部１８３に対して発行する。これにより、車両が向うエリアをカバーしている中継局からの放送波の受信が早期に行われ、利用者に対して快適な視聴を確保することができる。
【００４５】
一方、処理管理部１８２は、上記の第２判定により、低下率ＤＲMが所定閾値ＴＨより大きいときは、所定時間ΔＴ以内に値ＳＮＲMが所定値ＳＬＶ以上に回復するか否かの第３判定を行う。
【００４６】
この第３判定では、車両が建築物等の放送波遮蔽物付近、又は短いトンネルを走行していたのか、若しくは、長いトンネルを走行しているのかを判定する。すなわち、第３判定により、所定時間ΔＴ以内に値ＳＮＲMが所定値ＳＬＶ以上に回復すれば、車両は建築物等の放送波遮蔽物付近、又は短いトンネルを走行していたと判定する。一方、所定時間ΔＴ以内に値ＳＮＲMが所定値ＳＬＶ以上に回復しなければ、車両は長いトンネルを走行していると判定する。
【００４７】
なお、所定時間ΔＴは、上記の第３判定を精度良く行うという観点から、実験、シミュレーション、経験等に基づいて、予め定められる。
【００４８】
処理管理部１８２は、上記の第３判定により、所定時間以内に値ＳＮＲMが所定値以上に回復しない場合には、最適局サーチ指令ＳＲＳを生成し、当該指令を最適局サーチ部１８３に対して発行する。ここで、トンネル走行中に最適局サーチ処理を行うのは、車両が長いトンネルを通過した際には、トンネル進入前に受信していた中継局のエリアから外れている可能性が高いためである。これにより、長いトンネルの通過後、早期に新たな中継局からの放送波を受信することが可能となり、利用者に対して快適な視聴を確保することができる。
【００４９】
また、処理管理部１８２は、最適局サーチ指令ＳＲＳを受けた最適局サーチ部１８３からサーチ用選局要求ＣＳＲを受けると、サーチ用選局要求ＣＳＲに従って選局指令ＣＳＬ2を生成する。そして、処理管理部１８２は、当該指令をＲＦ処理ユニット１２０2へ向けて出力する。また、最適局サーチ部１８３によるサーチが終了し、処理管理部１８２が、サーチ終了報告としての最適チャンネル報告ＯＰＣを受けると、最適チャンネル報告ＯＰＣに従って選局指令ＣＳＬ1，ＣＳＬ2を生成する。そして、処理管理部１８２は、選局指令ＣＳＬ1，ＣＳＬ2を、それぞれ、ＲＦ処理ユニット１２０1，１２０2へ向けて出力する。
【００５０】
また、処理管理部１８２は、合成制御指令ＳＮＣを生成してＯＦＤＭ復調部１３１（より詳しくは、信号合成部２２２）へ向けて出力する。ここで、当該指令は、最適局サーチ部１８３によるサーチ期間以外の期間においては、信号ＩＦＳ1，ＩＦＳ2の２つの信号を合成すべき旨の指令となっており、最適局サーチ部１８３によるサーチ期間においては、信号ＩＦＳ1，ＩＦＳ2を合成しない旨の指令となっている。
【００５１】
また、処理管理部１８２は、ＯＦＤＭ復調部１３１からの信号ＤＢＤに含まれる情報に従って、ＮＩＴ情報を作成する。そして、処理管理部１８２は、当該ＮＩＴ情報をＮＩＴ情報記憶部１８１へ送る。
【００５２】
上記の最適局サーチ部１８３は、処理管理部１８２からの最適局サーチ指令ＳＲＳを受けて、最適局のサーチを行う。かかるサーチに際して、最適局サーチ部１８３は、ＮＩＴ情報記憶部１８１にアクセスして、同一内容の放送を行う中継局ごとの周波数情報である中継局＃１の周波数情報ＮＴＦ1、中継局＃２の周波数情報ＮＴＦ2、…、中継局＃Ｐの周波数情報ＮＴＦPを読み取る。そして、最適局サーチ部１８３は、順次、中継局＃Ｋの周波数情報ＮＴＦK（Ｋ＝１，…，Ｐ）に含まれる周波数を指定したサーチ用選局要求ＣＳＲを、処理管理部１８２へ向けて発行しつつ、ＯＦＤＭ復調部１３１からの値ＳＮＲSに基づいて、受信状態を収集する。
【００５３】
そして、最適局サーチ部１８３は、収集した受信状態に基づき、所定許容範囲の受信品質で放送している中継局が見つかるまで、上述した処理を繰り返す。最適局サーチ部１８３は、所定許容範囲を超える受信品質で放送している中継局を見つけると、ＳＮＲの収集結果に基づいて最適チャンネルを決定する。かかる決定結果は、最適チャンネル報告ＯＰＣとして、処理管理部１８２へ報告される。
【００５４】
［動作］
以上のようにして構成された受信装置１００の動作について、制御ユニット１８０における処理に主に着目して説明する。
【００５５】
前提として、当初においては、受信装置１００が搭載された車両は、トンネル外にあるものとする。また、操作入力ユニット１４０からの選局指定に従って、再生チャンネルの設定が行われ、通常選局処理が行われているものとする。なお、通常選局処理が行われている間は、処理管理部１８２が信号合成部２２２へ向けて発行する合成制御指令ＳＮＣにより、信号ＩＦＳ1，ＩＦＳ2を合成した信号ＳＮＤが、復調部２２３及びＳＮＲ検出部２２５Mへ向けて送られている。
【００５６】
以上のような当初設定のもとにおいて、最適局サーチ処理が、受信装置１００の動作中には、常時実行されている。この最適局サーチ処理は、図７に示されるように、まず、ステップＳ１１において、制御ユニット１８０の処理管理部１８２が、ＳＮＲ検出部２２５Mによる信号ＳＮＤにおけるＳＮＲの検出結果である値ＳＮＲMを取得し、バッファメモリに記録する。
【００５７】
引き続き、ステップＳ１２において、処理管理部１８２が、値ＳＮＲMが所定値ＳＬＶ未満か否かを判定する（第１判定）。この判定の結果が否定的であった場合（ステップＳ１２：Ｎ）、すなわち、受信品質が良好である場合には、処理はステップＳ１１へ戻る。以後、ステップＳ１２における判定の結果が肯定的となるまで、ステップＳ１１，Ｓ１２の処理が繰り返される。
【００５８】
一方、ステップＳ１２における判定の結果が肯定的になった場合（ステップＳ１２：Ｙ）、すなわち、受信品質が悪化した場合には、処理はステップＳ１３へ進む。ステップＳ１３では、処理管理部１８２が、バッファメモリに記録されているＳＮＲの値を参照して、所定時間Δｔ当たりの低下率ＤＲMを演算する。
【００５９】
次に、ステップＳ１４において、処理管理部１８２が、低下率ＤＲMが所定閾値ＴＨ以下か否かを判定する（第２判定）。この第２判定により、値ＳＮＲMの低下の原因が、現在利用している中継局から車両が遠ざかったためによるものなのか、あるいは、車両がトンネル等を走行しているためによるものかが判定される。この判定の結果が肯定的であった場合（ステップＳ１４：Ｙ）、すなわち、現在利用している中継局から車両が遠ざかっていると推定される場合には、処理はステップＳ１５へ進む。
【００６０】
ステップＳ１５では、最適局サーチの処理が行われる。この最適局のサーチ処理に際して、まず、処理管理部１８２が、信号ＩＦＳ1，ＩＦＳ2を合成すべきでない旨の合成制御指令ＳＮＣを信号合成部２２２へ向けて発行するとともに、最適局サーチ指令ＳＲＳを生成して当該指令を最適局サーチ部１８３に対して発行する。引き続き、最適局サーチ指令ＳＲＳを受けた最適局サーチ部１８３が、ＮＩＴ情報記憶部１８１にアクセスして、同一内容の放送を行う中継局ごとの周波数情報を読み取る。そして、最適局サーチ部１８３は、順次、ＮＩＴ情報記憶部１８１に記憶されている中継局ごとの周波数を指定したサーチ用選局要求ＣＳＲを処理管理部１８２へ向けて発行する。
【００６１】
サーチ用選局要求ＣＳＲを受けた処理管理部１８２では、順次、当該要求に従って選局指令ＣＳＬ2を生成し、ＲＦ処理ユニット１２０2へ向けて出力する。こうして順次行われる上述した処理と並行して、最適局サーチ部１８３が、ＯＦＤＭ復調部１３１からの値ＳＮＲSに基づいて、中継局ごとの受信状態を収集する。そして、処理管理部１８２及び最適局サーチ部１８３は、収集した受信状態に基づき、所定許容範囲の受信品質で放送している中継局が見つかるまで、上述した処理を繰り返す。最適局サーチ部１８３は、所定許容範囲を超える受信品質で放送している中継局が見つけると、ＳＮＲの収集結果に基づいて最適チャンネルを決定する。かかる決定結果は、最適チャンネル報告ＯＰＣとして、処理管理部１８２へ報告される。この後、処理はステップＳ１６へ進む。
【００６２】
ステップＳ１６では、処理管理部１８２が、最適チャンネル報告ＯＰＣに従って選局指令ＣＳＬ1，ＣＳＬ2を生成し、当該選局指令ＣＳＬ1，ＣＳＬ2を、それぞれ、ＲＦ処理ユニット１２０1，１２０2へ向けて出力する。また、このステップＳ１６では、処理管理部１８２が、信号ＩＦＳ1，ＩＦＳ2を合成すべき旨の合成制御指令ＳＮＣを生成して合成部２２２へ向けて発行する。この後、処理はステップＳ１１へ戻る。
【００６３】
一方、上記のステップＳ１４における判定の結果が否定的であった場合（ステップＳ１４：Ｎ）、すなわち、車両がトンネル等を走行していると推定される場合には、処理はステップＳ１７へ進む。
【００６４】
ステップＳ１７では、処理管理部１８２が、ＳＮＲ検出部２２５Mからの検出結果である値ＳＮＲMを取得する。引き続き、ステップＳ１８において、処理管理部１８２が、値ＳＮＲMが所定値ＳＬＶ以上に回復したか否かを判定する（第３判定の一部）。この判定の結果が肯定的であった場合（ステップＳ１８：Ｙ）には、処理はステップＳ１１へ戻る。
【００６５】
一方、ステップＳ１８における判定の結果が否定的であった場合（ステップＳ１８：Ｎ）には、処理はステップＳ１９へ進む。
【００６６】
ステップＳ１９では、処理管理部１８２が、所定時間ΔＴを経過したか否かを判定する（第３判定の一部）。この判定の結果が否定的であった場合（ステップＳ１９：Ｎ）には、処理はステップＳ１７へ戻る。以後、ステップＳ１８における判定の結果が否定的である場合において、ステップＳ１９における判定の結果が肯定的となるまで、ステップＳ１７〜Ｓ１９の処理が繰り返される。この繰り返し処理の最中に、ステップＳ１８における判定の結果が肯定的になると、車両は建築物等の放送波遮蔽物付近、又は短いトンネルを走行していたと判定され、上述したように処理はステップＳ１１へ戻る。
【００６７】
一方、ステップＳ１９における判定の結果が肯定的であった場合（ステップＳ１９：Ｙ）、すなわち、車両が長いトンネルを走行していると推定される場合には、処理は上述したステップＳ１５へ進む。
【００６８】
上記の処理を実行することにより、最適局のサーチ処理が行われる。
【００６９】
以上説明したように、本実施形態では、ＲＦ処理ユニット１２０1，１２０2に対して選局指令ＣＳＬ1，ＣＳＬ2により指定された再生チャンネルの放送波のＳＮＲ（Signal to Noise Ratio）を、ＳＮＲ検出部２２５Mが検出する。そして、ＳＮＲ検出部２２５Mによる信号ＳＮＤにおけるＳＮＲの検出結果である値ＳＮＲMに基づき、処理管理部１８２が、再生チャンネルの放送波の受信環境を判定し、最適局サーチ処理を行うか否かを決定する。
【００７０】
かかる判定処理に際して、処理管理部１８２は、値ＳＮＲMが所定値ＳＬＶ未満であるか否かの第１判定を行い、当該第１判定の結果が肯定的であった場合に、所定時間Δｔ当たりの値ＳＮＲMの低下率ＤＲMを演算する。引き続き、処理管理部１８２は、低下率ＤＲMが所定閾値ＴＨ以下であるか否かの第２判定を行い、当該第２判定の結果が肯定的であった場合は、現在利用している中継局から車両が遠ざかっていると判定し、最適局サーチ処理を行うべき旨の最適局サーチ指令ＳＲＳを最適局サーチ部１８３へ向けて発行する。
【００７１】
一方、処理管理部１８２は、当該第２判定の結果が否定的であった場合は、所定時間ΔＴ以内に値ＳＮＲMが所定値ＳＬＶ以上に回復するか否かの第３判定を行う。処理管理部１８２は、当該第３判定の結果が否定的であった場合は、長いトンネル等の長い遮蔽物区間を通過した際には、以前に受信していた中継局のエリアから外れていると判定し、最適局サーチ処理を行うべき旨の最適局サーチ指令ＳＲＳを最適局サーチ部１８３へ向けて発行する。
【００７２】
したがって、本実施形態によれば、再生チャンネルの放送波の受信環境に応じて、適切なサーチ処理を行うことができる。
【００７３】
［実施形態の変形］
本発明は、上記の実施形態に限定されるものではなく、様々な変形が可能である。
【００７４】
例えば、上記の実施形態では、ＳＮＲ（Signal to Noise Ratio）に基づいて、放送波の受信品質を評価した。これに対して、受信品質の評価は、ＲＦ処理ユニット１２０j（ｊ＝１，２）からの出力信号に対してＡＧＣ（Auto Gain Control）を行う場合におけるＡＧＣ信号の値、ミキサ２１４から取得可能なＲＳＳＩ（Received Signal Strength Indicator）、映像伝送方式にＭＰＧＧ２−ＴＳ方式を採用した場合におけるパケットエラーフラグ等に基づいて行うようにしてもよい。
【００７５】
また、上記の実施形態では、ＮＩＴ情報に記録されている中継局ごとの周波数情報に基づいて、代替チャンネルのサーチ処理を行った。これに対して、全局サーチを行いトランスポートストリームＩＤが再生チャンネルと一致するものを候補中継局とし、当該候補中継局に対して代替チャンネルのサーチ処理を行うようにしてもよい。なお、同一内容の放送には、番組内容が同一である放送の他、放送形式が同一である系列放送等も含まれるようにしてもよい。
【００７６】
また、上記の実施形態の受信装置は、アンテナとＲＦ処理ユニットとの組を２組備えることとしたが、アンテナとＲＦ処理ユニットとの組は１組であってもよいし、３組以上であってもよい。
【００７７】
また、上記の実施形態においては、車両に搭載される地上デジタル放送波を受信する受信装置に本発明を適用したが、ラジオ受信装置等の他の種類の放送受信機能を有する装置に本発明を適用することもできる。
【００７８】
なお、上記の実施形態における制御ユニット１８０の一部又は全部を中央処理装置（ＣＰＵ：Central Processing Unit）、読出専用メモリ（ＲＯＭ：Read Only Memory）、ランダムアクセスメモリ（ＲＡＭ：Random Access Memory）等を備えた演算手段としてのコンピュータとして構成し、予め用意されたプログラムを当該コンピュータで実行することにより、上記の実施形態における処理の一部又は全部を実行するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配送の形態で取得されるようにしてもよい。
【図面の簡単な説明】
【００７９】
【図１】本発明の一実施形態に係る受信装置の構成を概略的に示すブロック図である。
【図２】図１のＲＦ処理ユニットの構成を示すブロック図である。
【図３】図１の再生処理ユニットの構成を示すブロック図である。
【図４】図３のＯＦＤＭ復調部の構成を示すブロック図である。
【図５】図１の制御ユニットの構成を示すブロック図である。
【図６】図５のＮＩＴ情報記憶部の構造を説明するための図である。
【図７】図１の装置による最適局サーチ処理を説明するためのフローチャートである。
【符号の説明】
【００８０】
１００   …  受信装置
１８２   …  処理管理部（制御手段）
１８３   …  最適局サーチ部（サーチ処理手段）
２２５M  …  ＳＮＲ検出部（検出手段）
【図１】
2009225144.tif 000003
【図２】
2009225144.tif 000004
【図３】
2009225144.tif 000005
【図４】
2009225144.tif 000006
【図５】
2009225144.tif 000007
【図６】
2009225144.tif 000008
【図７】
2009225144.tif 000009